(57)【要約】    【課題】  マウスだけでなく、指やペンなどによる操作においても、コンテンツの表示位置などの移動が容易な装置を提供する。    【手段】    コンテンツ表示手段１０は、タッチパネル１２にコンテンツを表示する。タッチパネル１２には、画面操作用領域表示手段１８によって、画面を操作するための画面操作用領域１４、１６が設けられている。画面操作用領域表示手段１８は、画面用操作領域１４、１６においても、コンテンツが表示されるように表示制御を行っている。操作者が指などで、この画面操作用領域１４、１６を操作すると、操作処理実行手段２０は、操作内容に対応した処理を実行する。【選択図】  図１
2013210944.tif 000002
【特許請求の範囲】
【請求項１】
タッチパネル上にコンテンツを表示するコンテンツ表示手段と、
画面に表示されたコンテンツに対する操作を行うための画面操作用領域であって、その下に位置するコンテンツが視認可能なように透過性を有する画面操作用領域を表示する画面操作用領域表示手段と、
前記画面操作用領域に対するタッチ操作を受けて、画面に表示されたコンテンツに対する操作処理を実行する操作処理実行手段と、
を備えた画面操作機能を有する装置。
【請求項２】
画面操作機能を有する装置をコンピュータによって実現するための画面操作プログラムであって、
コンピュータを、
画面に表示されたコンテンツに対する操作を行うための画面操作用領域であって、その下に位置するコンテンツが視認可能なように透過性を有する画面操作用領域を表示する画面操作用領域表示手段と、
前記画面操作用領域に対するタッチ操作を受けて、画面に表示されたコンテンツに対する操作処理を実行する操作処理実行手段として機能させることを特徴とする画面操作プログラム。
【請求項３】
請求項１の装置または請求項２のプログラムにおいて、
前記画面操作用領域は、画面端部の上下左右辺の少なくとも何れかに設けられていることを特徴とする装置またはプログラム。
【請求項４】
請求項３の装置またはプログラムにおいて、
前記操作処理実行手段は、前記画面操作用領域の長辺方向にタッチ操作が行われた場合には、前記画面に表示されたコンテンツを当該長手方向にスクロールすることを特徴とする装置またはプログラム。
【請求項５】
請求項３または４の装置またはプログラムにおいて、
前記操作処理実行手段は、前記画面操作用領域の短辺方向にタッチ操作が行われた場合には、前記画面に表示されたコンテンツの前ページまたは後ページ、あるいは異なるコンテンツを表示することを特徴とする装置またはプログラム。
【請求項６】
請求項４または５のいずれかの装置またはプログラムにおいて、
前記操作処理実行手段は、前記画面における複数の前記画面操作用領域の一つにタッチ操作が行われた場合には、当該タッチ操作が行われた画面操作用領域とは別の画面操作用領域にコンテンツを編集するための編集アイコンを表示することを特徴とする装置またはプログラム。
【請求項７】
コンピュータによる画面操作の方法であって、
コンピュータが、タッチパネル上にコンテンツを表示し、
コンピュータが、画面に表示されたコンテンツに対する操作を行うための画面操作用領域であって、その下に位置するコンテンツが視認可能なように透過性を有する画面操作用領域を表示し、
コンピュータが、前記画面操作用領域に対するタッチ操作を受けて、画面に表示されたコンテンツに対する操作処理を実行することを特徴とする画面操作方法。
【発明の詳細な説明】
【技術分野】
【０００１】
この発明は、タッチパネルを備えた機器における画面操作に関するものである。
【背景技術】
【０００２】
描画ソフトウエアなど、描画対象領域の一部のみがディスプレイに表示される場合がある。たとえば、図１１に示すように、ディスプレイのコンテンツ表示領域２よりも広い領域が、コンテンツ全体の領域４であるような場合である。このような場合、コンテンツ表示領域２に表示されるコンテンツの位置を移動させるためのスクロールバーが用いられることになる（特許文献１）。
【０００３】
図１１に、このようなスクロールバー６、８を示す。スクロールバー６をマウスにて左右に移動させることで、コンテンツの位置を左右に移動することができる。同様に、スクロールバー８をマウスで上下に移動させることで、コンテンツの位置を上下に移動することができる。
【０００４】
スマートフォン、携帯情報端末などタッチパネルを備えた機器が数多く市場に供給されている。タッチパネルにおいては、マウスによる操作も可能ではあるが、指やペンなどによるタッチによって操作を行うことができ利便性が高い。このようなタッチパネルを備えた機器においても、上記と同様にスクロールバー６、８によるコンテンツ位置の移動を行うことができる。
【先行技術文献】
【特許文献】
【０００５】
【特許文献１】特開２００４−１１２１４１
【発明の概要】
【発明が解決しようとする課題】
【０００６】
しかしながら、従来の技術においては、マウスによるスクロールバーの移動は容易であるものの、指やペンなどによる操作が難しいという問題があった。このため、折角のタッチパネル機器の利点を生かし切れないことになっていた。
【０００７】
そこで、この発明では、マウスだけでなく、指やペンなどによる操作においても、コンテンツの表示位置などの移動が容易な装置を提供することを目的とする。
【課題を解決するための手段】
【０００８】
(1)(2)この発明に係る画面操作機能を有する装置は、タッチパネル上にコンテンツを表示するコンテンツ表示手段と、画面に表示されたコンテンツに対する操作を行うための画面操作用領域であって、その下に位置するコンテンツが視認可能なように透過性を有する画面操作用領域を表示する画面操作用領域表示手段と、前記画面操作用領域に対するタッチ操作を受けて、画面に表示されたコンテンツに対する操作処理を実行する操作処理実行手段とを備えている。
【０００９】
したがって、コンテンツの表示領域を広くとりつつ、画面操作の容易な装置を実現することができる。
【００１０】
(3)この発明に係る画面操作機能を有する装置は、画面操作用領域が、画面端部の上下左右辺の少なくとも何れかに設けられていることを特徴としている。
【００１１】
したがって、画面の端部を操作することによって画面操作を行うことができる。
【００１２】
(4)この発明に係る画面操作機能を有する装置は、操作処理実行手段が、前記画面操作用領域の長辺方向にタッチ操作が行われた場合には、前記画面に表示されたコンテンツを当該長手方向にスクロールすることを特徴としている。
【００１３】
したがって、直感的な操作によってスクロールを行うことができる。
【００１４】
(5)この発明に係る画面操作機能を有する装置は、操作処理実行手段が、前記画面操作用領域の短辺方向にタッチ操作が行われた場合には、前記画面に表示されたコンテンツの前ページまたは後ページ、あるいは異なるコンテンツを表示することを特徴としている。
【００１５】
したがって、直感的な操作によってコンテンツ切換を行うことができる。
【００１６】
(6)この発明に係る画面操作機能を有する装置は、操作処理実行手段が、前記画面における複数の前記画面操作用領域の一つにタッチ操作が行われた場合には、当該タッチ操作が行われた画面操作用領域とは別の画面操作用領域にコンテンツを編集するための編集アイコンを表示することを特徴としている。
【００１７】
したがって、特別な操作を行わなくとも編集アイコンを呼び出すことができる。
【００１８】
(7)この発明に係る画面操作方法は、コンピュータによる画面操作の方法であって、コンピュータが、タッチパネル上にコンテンツを表示し、コンピュータが、画面に表示されたコンテンツに対する操作を行うための画面操作用領域であって、その下に位置するコンテンツが視認可能なように透過性を有する画面操作用領域を表示し、コンピュータが、前記画面操作用領域に対するタッチ操作を受けて、画面に表示されたコンテンツに対する操作処理を実行することを特徴としている。
【００１９】
したがって、コンテンツの表示領域を広くとりつつ、画面操作の容易な装置を実現することができる。
【００２０】
「コンテンツ表示手段」は、実施形態においては、描画プログラムがこれに対応する。
【００２１】
「画面操作用領域表示手段」は、実施形態においては、ステップＳ１がこれに対応する。
【００２２】
「操作処理実行手段」は、実施形態においては、ステップＳ４がこれに対応する。
【００２３】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２４】
【図１】一実施形態による画面操作機能を有する装置の機能ブロック図である。
【図２】携帯情報端末装置のハードウエア構成である。
【図３】制御プログラムのフローチャートである。
【図４】制御プログラムのフローチャートである。
【図５】一実施形態による携帯情報端末装置の画面表示例である。
【図６】一実施形態による携帯情報端末装置の画面表示例である。
【図７】一実施形態による携帯情報端末装置の画面表示例である。
【図８】他の実施形態による携帯情報端末装置の画面表示例である。
【図９】他の実施形態による携帯情報端末装置の画面表示例である。
【図１０】他の実施形態による携帯情報端末装置の画面表示例である。
【図１１】従来の画面操作機能を有する装置の画面例である。
【発明を実施するための形態】
【００２５】
１．全体構成
図１に、この発明の一実施形態による画面操作機能を有する装置の全体構成を示す。
【００２６】
コンテンツ表示手段１０は、タッチパネル１２にコンテンツを表示する。タッチパネル１２には、画面操作用領域表示手段１８によって、画面を操作するための画面操作用領域１４、１６が設けられている。画面操作用領域表示手段１８は、画面用操作領域１４、１６においても、コンテンツが表示されるように表示制御を行っている。操作者が指などで、この画面操作用領域１４、１６を操作すると、操作処理実行手段２０は、操作内容に対応した処理を実行する。
【００２７】
２．ハードウエア構成
以下、画面操作機能を有する装置として携帯情報端末装置を例に説明を進める。図２は、携帯情報端末装置のハードウエア構成である。
【００２８】
ＣＰＵ３０には、メモリ３２、タッチパネル３４、通信回路３６、不揮発性メモリ３８が接続されている。不揮発性メモリ３８には、アンドロイド（商標）などのオペレーティングシステム（ＯＳ）４０、制御プログラム４２が記録されている。制御プログラム４２は、ＯＳ４０と協働してその機能を発揮するものである。ＯＳ４０、制御プログラム４２は、それぞれ記録媒体に記録されていたものを、通信回路３６を介して、サーバ装置などから不揮発性メモリ３８にインストールしたものである。
【００２９】
３．制御プログラムの処理
図５に、この発明の携帯情報端末装置のタッチパネル３４の表示画面を示す。ここでは、描画プログラムを起動した場合を例として表示画面を示している。
【００３０】
制御プログラム４２のフローチャートを図３に示す。まず、ステップＳ１において、ＣＰＵ３０は、タッチパネル３４の上下左右の各端部に画面操作用領域５２Ｕ、５２Ｄ、５２Ｌ、５２Ｒを表示する。なお、タッチパネル３４には、描画プログラムの制御により全面に亘ってコンテンツ５０が表示されている。したがって、画面操作用領域５２Ｕ、５２Ｄ、５２Ｌ、５２Ｒは、このコンテンツ５０の上に重ねて表示される。
【００３１】
ただし、この実施形態では、画面操作用領域５２Ｕ、５２Ｄ、５２Ｌ、５２Ｒは、境界線５４Ｕ、５４Ｄ、５４Ｌ、５４Ｒによってのみ認識できるようにしている。したがって、画面操作用領域５２Ｕ、５２Ｄ、５２Ｌ、５２Ｒにおいても、コンテンツ５０が表示された状態となる。また、この実施形態では、操作を容易にするために、画面操作用領域５２Ｕ、５２Ｄ、５２Ｌ、５２Ｒの幅を広く（２ｃｍ程度）としている。上記のように、画面操作用領域５２Ｕ、５２Ｄ、５２Ｌ、５２Ｒにもコンテンツが表示されるので、幅を広くとることが可能である。
【００３２】
次に、ＣＰＵ３０は、タッチパネル３４に対するタッチがあったかどうかを判断する（ステップＳ２）。タッチの有無は、タッチパネル３４からの出力によって判断することができる。タッチがなければ、特段の処理を行わない。タッチを検出すると、ＣＰＵ３０は、当該タッチが画面操作用領域５２Ｕ、５２Ｄ、５２Ｌ、５２Ｒに対するタッチであるかどうかを判断する（ステップＳ３）。
【００３３】
画面操作用領域５２Ｕ、５２Ｄ、５２Ｌ、５２Ｒに対するタッチでなければ、描画プログラムによる描画編集モードに入る（ステップＳ５）。つまり、操作者のタッチ操作に応じて、線を引く、図形を描く、図形を消すなどの通常の編集処理を行う。
【００３４】
一方、画面操作用領域５２Ｕ、５２Ｄ、５２Ｌ、５２Ｒに対するタッチであれば、ＣＰＵ３０は操作モードに入る（ステップＳ４）。操作モードにおける制御プログラム４２のフローチャートを示す。
【００３５】
ＣＰＵ３０は、タッチ位置が移動したかどうかを判断する（ステップＳ１１）。ＣＰＵ３０は、このタッチ位置が境界線５４Ｕ、５４Ｄ、５４Ｒ、５４Ｌをまたいだかどうかを判断する（ステップＳ１２）。矢印５６に示すように、タッチ位置が、境界線５４Ｕ、５４Ｄ、５４Ｒ、５４Ｌをまたがないで移動した（長手方向へ移動した）と判断すれば、ＣＰＵ３０は、スクロール処理を行う（ステップＳ１３）。つまり、従来のスクロールバーによる表示位置の移動と同じように、タッチ位置の移動にあわせてコンテンツ５０の表示位置を移動させる。
【００３６】
なお、画面操作用領域５２Ｒ、５２Ｌにおいてタッチ位置が移動した場合には、上下方向へのスクロールを行う。また、画面操作用領域５２Ｕ、５２Ｄにおいてタッチ位置が移動した場合には、左右方向へのスクロールを行う。たとえば、左方向へのスクロールを行うと、図６に示すような画面となる。
【００３７】
図５において、矢印５８に示すように、タッチ位置が、境界線５４Ｕ、５４Ｄ、５４Ｒ、５４Ｌをまたいで移動したと判断すれば、ＣＰＵ３０は、コンテンツ切り換え処理を行う（ステップＳ１４）。この実施形態では、画面操作用領域５２Ｒ、５２Ｌにおいて矢印５８に示すような操作が行われると、ＣＰＵ３０は、現在表示中のファイルの次のページ、前のページの画像を表示する。また、画面操作用領域５２Ｕ、５２Ｄにおいて矢印５８に示すような操作が行われると、ＣＰＵ３０は、現在表示中のファイルとは別のファイルの画像を表示する。たとえば、前に表示していたファイル、ファイル名の順番で前のファイル、後のファイルなどである。
【００３８】
続いて、ＣＰＵ３０は、操作者によるタッチが離れたかどうかを判断する（ステップＳ１５）。タッチが継続していれば、ステップＳ１１に戻って処理を繰り返す。タッチがなくなれば、操作モードを終了し、図３のステップＳ２以下の処理を繰り返す。
【００３９】
以上のように、直感的にわかりやすい操作にて、スクロール処理などを行うことができ、しかも、コンテンツを画面全体に表示することができる装置を実現することができる。
【００４０】
４．その他の実施形態
(1)上記実施形態では、画面操作用領域５２Ｕ、５２Ｄ、５２Ｌ、５２Ｒにタッチした際に、当該画面操作用領域５２Ｕ、５２Ｄ、５２Ｌ、５２Ｒの機能はそのままとしている。
【００４１】
しかし、画面操作用領域５２Ｕ、５２Ｄ、５２Ｌ、５２Ｒのいずれかにタッチした際に、所定の画面操作領域（たとえば画面操作用領域５２Ｄ）に代えて、図５に示すアイコンバー７０を表示するようにしてもよい。このアイコンバー７０には、描画プログラムにおいて用いるアイコン８０が並べられている。
【００４２】
このようにすることで、特別な操作をすることなく、描画編集のためのアイコン８０を呼び出すことができる。
【００４３】
なお、アイコンバー７０は、画面操作用領域５２Ｕ、５２Ｄ、５２Ｌ、５２Ｒ以外の領域にタッチすることによって、通常の画面操作領域に置き換えられる。
【００４４】
(2)上記実施形態では、描画プログラムを例として説明を行った。しかし、画面操作が必要なソフトウエアであれば、同様に適用することができる。たとえば、スプレッドシート、ワードプロセッサ、データベースなどのプログラムについても適用することができる。
【００４５】
(3)上記実施形態では、境界線５４Ｕ、５４Ｄ、５４Ｒ、５４Ｌをまたぐ移動があるとコンテンツ切り換え処理を行うようにしている。しかし、画面操作用領域５２Ｕ、５２Ｄ、５２Ｌ、５２Ｒの中において、境界線５４Ｕ、５４Ｄ、５４Ｒ、５４Ｌをまたがないで連続して所定長さ（たとえば１ｃｍ）の移動があった場合、それ以降は、境界線５４Ｕ、５４Ｄ、５４Ｒ、５４Ｌをまたいでも、スクロール処理を継続するようにしてもよい。
【００４６】
(4)上記実施形態では、境界線５４Ｕ、５４Ｄ、５４Ｒ、５４Ｌをまたぐ移動があるとコンテンツ切り換え処理を行うようにしている。しかし、図７の矢印７５に示すように、タッチ位置が画面操作領域５２Ｕ、５２Ｄ、５２Ｌ、５２Ｒの外側の端部に達した場合にも、コンテンツ切り換え処理を行うようにしてもよい。この際、タッチ位置の移動が画面操作領域５２Ｕ（５２Ｄ）の外側の端部に達した場合には、画面操作用領域５２Ｄ（５２Ｕ）の境界線５４Ｄ（５４Ｕ）をまたいだ場合と同じ処理を行うようにすれば、操作の直感性に優れたものとなる。
【００４７】
同様に、タッチ位置の移動が画面操作領域５２Ｒ（５２Ｌ）の外側の端部に達した場合には、画面操作用領域５２Ｌ（５２Ｒ）の境界線５４Ｌ（５４Ｒ）をまたいだ場合と同じ処理を行うようにすることが好ましい。
【００４８】
また、縦と横の画面操作用領域が重なる領域５３がタッチされた場合には、異なる処理（斜め方向へのスクロール、メニューの表示など）を行うようにしてもよい。
【００４９】
(5)また、複数のページがあるコンテンツを表示する場合、図８に示すように、画面操作用領域５２Ｌに前のページのコンテンツを、画面操作用領域５２Ｒに次のページのコンテンツを表示するようにしてもよい。ただし、スクロール操作に入ると、図６のような画面に切り換えるようにしてもよい。
【００５０】
さらに、図９に示すように、画面操作用領域５２Ｕに前のファイルのコンテンツを、画面操作用領域５２Ｄに次のファイルのコンテンツを表示するようにしてもよい。この場合においても、スクロール操作に入ると、図６のような画面に切り換えるようにしてもよい。
【００５１】
また、図８と図９の双方を採用してもよい。
【００５２】
(6)また、スクロールの速度（距離）を、タッチの移動操作の速度に比例させるようにしてもよい。
【００５３】
(7)上記各実施形態では、画面操作用領域を示すために境界線を用いている。しかし、画面操作用領域において表示されるコンテンツの色を薄く、あるいは濃くするなど表示形態の変化によって区別するようにしてもよい。ただし、画面操作用用領域においてもコンテンツが表示されるように、画面操作用領域自体は、透明性を有していることが好ましい。
【００５４】
(8)上記各実施形態では、タッチパネルの四隅に画面操作用領域を設けるようにしている。しかし、いずれか一隅以上に設けうるようにしてもよい。
【００５５】
また、図１０に示すように、十字型の画面操作用領域５２を設けるようにしてもよい。画面操作用領域５２内でのタッチの移動により、当該移動方向にスクロール処理を行う点、境界線５４をまたいだタッチの移動により、コンテンツ切り換え処理を行う点は、上記実施形態と同様である。
【００５６】
また、円形の画面操作用領域５４を設けるようにしてもよい。この例においても、画面操作用領域５２１内でのタッチの移動により、当該移動方向にスクロール処理を行う点、境界線５４１をまたいだタッチの移動により、コンテンツ切り換え処理を行う点は、上記実施形態と同様である。ただし、矢印５３１に示すようにタッチの移動があると、コンテンツを回転させる処理を行うようにしてもよい。
【００５７】
また、図１０の画面操作用領域５２、５２１は、その領域内で長くタッチ位置を移動させずに保つことで移動モードとなり、その後のタッチ位置の移動によって、ＣＰＵ３０は、画面操作用領域５２、５２１を移動させるようにすることもできる。
【００５８】
(9)上記実施形態では、携帯情報端末装置を例として説明した。しかし、携帯電話装置、ＰＣ、テレビ受像器など、タッチパネルを有する機器全般に適用することができる。
【００５９】
(10)また、上記実施形態では、指やペンなどによる操作を行う場合を例として説明したが、マウスやトラックボールによって操作する場合にも適用することができる。
【００６０】
(11)上記実施形態では、画面操作用領域の長手方向への移動でスクロール、境界線を跨いだ移動でコンテンツの切換としている。しかし、いずれについても、その他の表示操作を割り当てることができる。たとえば、表示されるコンテンツの表示倍率の変更、スライドショーの表示速度などに割り当てることができる。
【図１】
2013210944.tif 000003
【図２】
2013210944.tif 000004
【図３】
2013210944.tif 000005
【図４】
2013210944.tif 000006
【図５】
2013210944.tif 000007
【図６】
2013210944.tif 000008
【図７】
2013210944.tif 000009
【図８】
2013210944.tif 000010
【図９】
2013210944.tif 000011
【図１０】
2013210944.tif 000012
【図１１】
2013210944.tif 000013